(57)【要約】【課題】複数の携帯端末において検索結果を適切なタイミングで表示させる。【解決手段】携帯端末１は、他の端末に送信する送信メッセージの入力を受け付け、入力された送信メッセージを他の端末に送信するとともに、他の端末からメッセージを受信するメッセージ送受信部１５１と、検索キーワードの入力を受け付け、ネットワークを介して検索キーワードに対応する検索結果を示す検索結果情報を取得する取得部１５２と、検索結果情報を取得すると当該検索結果情報及び当該検索結果情報を他の端末と共有する指示を受け付けるメニューを含む検索結果画面を表示部１２に表示させる表示制御部１５３と、メニューが選択されたことに応じて、検索結果情報を他の端末に送信する送信部１５４と、を備える。【選択図】図３
2015153351.tif 000002
【特許請求の範囲】
【請求項１】
他の端末に送信する送信メッセージの入力を受け付け、入力された前記送信メッセージを前記他の端末に送信するとともに、前記他の端末からメッセージを受信するメッセージ送受信部と、
検索キーワードの入力を受け付け、ネットワークを介して前記検索キーワードに対応する検索結果を示す検索結果情報を取得する取得部と、
前記検索結果情報を取得すると、当該検索結果情報と当該検索結果情報を前記他の端末と共有する指示を受け付けるメニューとを表示部に表示させる表示制御部と、
前記メニューが選択されたことに応じて、前記検索結果情報を前記他の端末に送信する送信部と、
を備える携帯端末。
【請求項２】
前記表示制御部は、前記送信メッセージと、前記他の端末から受信した受信メッセージとをメッセージの送信者ごとに時系列に並べたメッセージリストを表示部に表示させ、前記メッセージリスト及び前記検索結果情報を切り替えるためのメニューを表示させる、
請求項１に記載の携帯端末。
【請求項３】
前記取得部は、前記検索結果情報に含まれるＵＲＬの選択に応じて当該ＵＲＬが示すページを前記ネットワークを介して取得し、
前記表示制御部は、前記ページ及び前記ページを前記他の端末と共有する指示を受け付ける前記メニューを含む画面を前記表示部に表示させる、
請求項１又は２に記載の携帯端末。
【請求項４】
前記メッセージ送受信部は、前記共有の指示を受け付けるメニューが選択されたことに応じて、前記検索結果情報の共有を通知する旨のメッセージを前記他の端末に送信する、
請求項１から３のいずれか１項に記載の携帯端末。
【請求項５】
前記メッセージ送受信部は、前記検索結果情報のＵＲＬをリンクとして含むメッセージを前記他の端末に送信する、
請求項１から４のいずれか１項に記載の携帯端末。
【請求項６】
前記他の端末は複数存在し、
前記表示制御部は、前記共有の指示を受け付けるメニューが選択されたことに応じて、前記検索結果情報を送信する前記他の端末の選択を受け付け、
前記送信部は、選択された前記他の端末に前記検索結果情報を送信する、
請求項１から５のいずれか１項に記載の携帯端末。
【請求項７】
互いにメッセージの送受信を行う第１携帯端末と、第２携帯端末とから構成されるメッセージ交換システムであって、
前記第１携帯端末は、
前記第２携帯端末に送信する送信メッセージの入力を受け付け、入力された前記送信メッセージを前記第２携帯端末に送信するとともに、前記第２携帯端末からメッセージを受信するメッセージ送受信部と、
検索キーワードの入力を受け付け、ネットワークを介して前記検索キーワードに対応する検索結果を示す検索結果情報を取得する取得部と、
前記検索結果情報を取得すると、当該検索結果情報と当該検索結果情報を前記第２携帯端末と共有する指示を受け付けるメニューとを表示部に表示させる第１表示制御部と、
前記メニューが選択されたことに応じて、前記検索結果情報を前記第２携帯端末に送信する送信部とを有し、
前記第２携帯端末は、
前記第１携帯端末から前記検索結果情報を受信する受信部と、
前記受信部が前記検索結果情報を受信したことに応じて前記検索結果情報を前記第２携帯端末に表示させる第２表示制御部とを有する、
メッセージ交換システム。
【請求項８】
メッセージを交換するメッセージ交換サーバをさらに備え、
前記第１携帯端末及び前記第２携帯端末は、前記メッセージ交換サーバを介して前記メッセージの送受信及び前記検索結果情報の共有を行う、
請求項７に記載のメッセージ交換システム。
【請求項９】
コンピュータを、
他の端末に送信する送信メッセージの入力を受け付け、入力された前記送信メッセージを前記他の端末に送信するとともに、前記他の端末からメッセージを受信するメッセージ送受信部、
検索キーワードの入力を受け付け、ネットワークを介して前記検索キーワードに対応する検索結果を示す検索結果情報を取得する取得部、
前記検索結果情報を取得すると、当該検索結果情報と当該検索結果情報を前記他の端末と共有する指示を受け付けるメニューとを表示部に表示させる表示制御部、及び
前記メニューが選択されたことに応じて、前記検索結果情報を前記他の端末に送信する送信部、
として機能させる携帯端末用プログラム。
【発明の詳細な説明】
【技術分野】
【０００１】
本発明は、携帯端末、メッセージ交換システム及び携帯端末用プログラムに関する。
【背景技術】
【０００２】
近年、スマートフォン等の携帯端末において、他の端末のユーザとのメッセージ交換が盛んに行われている。携帯端末のユーザは、このようなメッセージ交換の最中に話題になった情報の詳細を調べるため、検索を行う場合がある。そして、ユーザは、検索結果についてメッセージを交換している他のユーザと検索結果の共有を所望する場合がある。例えば、メッセージ交換における話題が旅行に関するものである場合、ユーザは、旅行先の情報を検索し、当該検索の結果をメッセージ交換の相手と共有することを望むことがある。
【０００３】
メッセージの交換中に検索結果を共有する技術として、他の端末のユーザとのメッセージ交換において、複数のユーザで検索クエリを共用することができる共用検索エリアを表示させ、当該検索エリアに入力された検索クエリを他の端末と共有することが提案されている（例えば、特許文献１参照）。
【先行技術文献】
【特許文献】
【０００４】
【特許文献１】特許５３３０２７０号公報
【発明の概要】
【発明が解決しようとする課題】
【０００５】
しかしながら、特許文献１に記載されている方法は、検索クエリを共有するのみであり、検索結果を表示するためには、各ユーザが当該検索クエリを用いて検索する必要がある。このため、複数の端末のそれぞれにおいて検索タイミングが異なると、検索結果が表示されるタイミングに差が生じ、検索結果の共有が円滑に行われない問題が発生する。
【０００６】
この問題は、検索結果とメッセージとを同時に表示させることが困難なスマートフォン等の携帯端末において特に重要な問題となる。例えば、第１端末のユーザが検索結果を共有したいと考え、当該ユーザが検索クエリに基づいて検索を行い、メッセージ交換画面から、検索結果画面に表示を切り替えたとする。この場合に、第２端末のユーザが未だ検索を行っておらず、検索結果を表示していない場合、端末間で検索結果の共有が行われない。さらに、第１端末のユーザが、他の端末のユーザに検索結果を表示することを促すためには、再びメッセージウィンドウを切り替える必要があり、操作が煩雑となる。そこで、複数の端末において検索結果を適切なタイミングで表示させるようにすることが求められている。
【０００７】
本発明は、このような要望に鑑みてなされたものであり、複数の携帯端末において必要な検索結果を適切なタイミングで表示させることができる携帯端末、メッセージ交換システム、携帯端末用プログラムを提供することを目的とする。
【課題を解決するための手段】
【０００８】
本発明の第１の態様に係る携帯端末は、他の端末に送信する送信メッセージの入力を受け付け、入力された前記送信メッセージを前記他の端末に送信するとともに、前記他の端末からメッセージを受信するメッセージ送受信部と、検索キーワードの入力を受け付け、ネットワークを介して前記検索キーワードに対応する検索結果を示す検索結果情報を取得する取得部と、前記検索結果情報を取得すると、当該検索結果情報と当該検索結果情報を前記他の端末と共有する指示を受け付けるメニューとを表示部に表示させる表示制御部と、前記メニューが選択されたことに応じて、前記検索結果情報を前記他の端末に送信する送信部と、を備える。
【０００９】
前記表示制御部は、前記送信メッセージと、前記他の端末から受信した受信メッセージとをメッセージの送信者ごとに時系列に並べたメッセージリストを表示部に表示させ、前記メッセージリスト及び前記検索結果情報を切り替えるためのメニューを表示させてもよい。
【００１０】
前記取得部は、前記検索結果情報に含まれるＵＲＬの選択に応じて当該ＵＲＬが示すページを前記ネットワークを介して取得し、前記表示制御部は、前記ページ及び前記ページを前記他の端末と共有する指示を受け付ける前記メニューを含む画面を前記表示部に表示させてもよい。
【００１１】
前記メッセージ送受信部は、前記共有の指示を受け付けるメニューが選択されたことに応じて、前記検索結果情報の共有を通知する旨のメッセージを前記他の端末に送信してもよい。
前記メッセージ送受信部は、前記検索結果情報のＵＲＬをリンクとして含むメッセージを前記他の端末に送信してもよい。
【００１２】
前記他の端末は複数存在し、前記表示制御部は、前記共有の指示を受け付けるメニューが選択されたことに応じて、前記検索結果情報を送信する前記他の端末の選択を受け付け、前記送信部は、選択された前記他の端末に前記検索結果情報を送信してもよい。
【００１３】
本発明の第２の態様のメッセージ交換システムは、互いにメッセージの送受信を行う第１携帯端末と、第２携帯端末とから構成されるメッセージ交換システムであって、前記第１携帯端末は、前記第２携帯端末に送信する送信メッセージの入力を受け付け、入力された前記送信メッセージを前記第２携帯端末に送信するとともに、前記第２携帯端末からメッセージを受信するメッセージ送受信部と、検索キーワードの入力を受け付け、ネットワークを介して前記検索キーワードに対応する検索結果を示す検索結果情報を取得する取得部と、前記検索結果情報を取得すると、当該検索結果情報と当該検索結果情報を前記第２携帯端末と共有する指示を受け付けるメニューとを表示部に表示させる第１表示制御部と、前記メニューが選択されたことに応じて、前記検索結果情報を前記第２携帯端末に送信する送信部とを有し、前記第２携帯端末は、前記第１携帯端末から前記検索結果情報を受信する受信部と、前記受信部が前記検索結果情報を受信したことに応じて前記検索結果情報を前記第２携帯端末に表示させる第２表示制御部とを有する。
【００１４】
前記メッセージ交換システムは、メッセージを交換するメッセージ交換サーバをさらに備え、前記第１携帯端末及び前記第２携帯端末は、前記メッセージ交換サーバを介して前記メッセージの送受信及び前記検索結果情報の共有を行ってもよい。
【００１５】
本発明の第３の態様に係る携帯端末用プログラムは、コンピュータを、他の端末に送信する送信メッセージの入力を受け付け、入力された前記送信メッセージを前記他の端末に送信するとともに、前記他の端末からメッセージを受信するメッセージ送受信部、検索キーワードの入力を受け付け、ネットワークを介して前記検索キーワードに対応する検索結果を示す検索結果情報を取得する取得部、前記検索結果情報を取得すると、当該検索結果情報と当該検索結果情報を前記他の端末と共有する指示を受け付けるメニューとを表示部に表示させる表示制御部、及び前記メニューが選択されたことに応じて、前記検索結果情報を前記他の端末に送信する送信部、として機能させる。
【発明の効果】
【００１６】
本発明によれば、検索結果を適切なタイミングで表示させることができる。
【図面の簡単な説明】
【００１７】
【図１】第１の実施形態に係るメッセージ交換システムにおける検索結果の共有方法を示す図である。
【図２】第１の実施形態に係るメッセージ交換システムの構成図である。
【図３】第１の実施形態に係る携帯端末の機能構成図である。
【図４Ａ】表示部にメッセージリスト画面が表示された状態を示す図である。
【図４Ｂ】表示部に検索結果画面が表示された状態を示す図である。
【図４Ｃ】他の端末の表示部に検索結果画面が表示された状態を示す図である。
【図４Ｄ】表示部に詳細画面が表示された状態を示す図である。
【図４Ｅ】他の端末の表示部に詳細画面が表示された状態を示す図である。
【図５】第１の実施形態に係る携帯端末が検索結果情報を他の端末と共有する処理の流れを示すシーケンス図である。
【発明を実施するための形態】
【００１８】
＜第１の実施形態＞
以下、本発明の第１の実施形態について説明する。
［発明の概要］
図１は、第１の実施形態に係るメッセージ交換システムＳにおける検索結果の共有方法を示す図である。図２は、第１の実施形態に係るメッセージ交換システムＳの構成図である。
メッセージ交換システムＳは、複数の携帯端末１（例えば、携帯端末１Ａ、携帯端末１Ｂ）と、メッセージサーバ２と、検索サーバ３と、複数の基地局４とを備える。
【００１９】
複数の携帯端末１は、基地局４及び電話回線やインターネット等のネットワークＮを介して、メッセージの交換を管理するメッセージサーバ２に接続されており、メッセージサーバ２を介してメッセージの交換を行う。例えば、携帯端末１Ａは、図１の（１）に示すように、他の端末としての携帯端末１Ｂとのメッセージの交換において、それぞれの端末のユーザが入力したメッセージを表示するとともに、ネットワークを介した検索に用いるキーワードの入力を受け付ける検索窓を表示する。なお、複数の携帯端末１は、基地局４に代えて、無線ＬＡＮのアクセスポイント（不図示）及びネットワークＮを介してメッセージサーバ２に接続されていてもよい。
【００２０】
携帯端末１Ａは、検索窓にキーワードが入力された状態で検索を実行する操作を受け付けると、基地局４及びネットワークＮを介して検索サーバ３に当該キーワードを送信する。検索サーバ３は、検索キーワードに基づいて検索結果を示す検索結果情報を生成し、当該検索結果情報を携帯端末１Ａに送信する。携帯端末１Ａは、検索結果情報を受信すると、図１の（２）に示すように、当該検索結果情報、及び当該検索結果情報を携帯端末１Ｂと共有する指示を受け付けるメニューである共有ボタン１２１を含む検索結果画面を表示部１２に表示させる。ここで、共有する指示を受け付けるメニューは、図１（２）に示すように共有ボタン１２１のような画像メニューでもよいし、選択可能にした文字リンクによる文字メニューでもよい。さらには、携帯端末１Ａに予め供えられたメニューボタンや携帯端末１Ａ上で動作するアプリに組み込まれ、所定の操作によって表示されるメニューとしてもよい。
【００２１】
その後、携帯端末１Ａのユーザが共有ボタン１２１を押下すると、携帯端末１Ａは、メッセージサーバ２を介して当該検索結果情報を携帯端末１Ｂに送信する。
携帯端末１Ｂは、検索結果情報を受信すると、図１の（３）に示すように、当該検索結果情報を表示部１２に表示させる。これにより、携帯端末１Ａと携帯端末１Ｂとの間で検索結果が共有される。
【００２２】
［携帯端末１の構成例］
続いて、携帯端末１の構成について説明する。なお、以下の説明において、携帯端末１は、図２に示す携帯端末１Ａを示し、他の端末は、図２に示す携帯端末１Ｂを示すものとする。また、携帯端末１Ａと、携帯端末１Ｂとは同じ構成であるものとする。
図３は、第１の実施形態に係る携帯端末１の機能構成図である。
携帯端末１は、操作部１１と、表示部１２と、無線部１３と、記憶部１４と、制御部１５とを備える。
【００２３】
操作部１１は、例えば、ボタンや、表示部１２に重畳して配置される接触センサ等により構成されている。操作部１１は、表示部１２に表示されている表示画面に対する操作として、タッチ操作、フリック操作等の各種接触操作を受け付ける。
【００２４】
表示部１２は、例えば、液晶ディスプレイや有機ＥＬ（Electro-Luminescence）ディスプレイ等により構成される。表示部１２は、制御部１５の制御に応じて、他の端末のユーザと交換したメッセージと、検索窓とを表示する。また、表示部１２は、制御部１５の制御に応じて、検索窓に入力されたキーワードに対応する検索結果情報や、当該検索結果情報に含まれるＵＲＬに対応するページの情報を表示する。
【００２５】
無線部１３は、制御部１５から出力された信号を変調してＲＦ（Radio Frequency）信号を生成し、アンテナ（不図示）を介して当該ＲＦ信号を基地局４や無線ＬＡＮのアクセスポイントに無線送信する。無線部１３は、アンテナを介して基地局やアクセスポイントから受信したＲＦ信号を復調し、復調により得られた信号を制御部１５に出力する。これにより、無線部１３は、ネットワークＮを介して、メッセージサーバ２や検索サーバ３に対して無線通信を行う。
【００２６】
記憶部１４は、例えば、ＲＯＭ及びＲＡＭ等により構成される。記憶部１４は、携帯端末１を機能させるための各種プログラムを記憶する。例えば、記憶部１４は、携帯端末１の制御部１５を、後述するメッセージ送受信部１５１、取得部１５２、表示制御部１５３、送信部１５４及び受信部１５５として機能させるための携帯端末用プログラムを記憶する。記憶部１４は、外部メモリ等の記憶媒体に記憶されたプログラムを読み取って記憶してもよく、ネットワークＮを介して外部機器からダウンロードされたプログラムを記憶してもよい。
【００２７】
制御部１５は、例えば、ＣＰＵにより構成される。制御部１５は、記憶部１４に記憶されている各種プログラムを実行することにより、携帯端末１に係る機能を統括的に制御する。制御部１５は、メッセージ送受信部１５１と、取得部１５２と、表示制御部１５３と、送信部１５４と、受信部１５５とを備える。
【００２８】
メッセージ送受信部１５１は、無線部１３を介してメッセージの送受信を行う。具体的には、メッセージ送受信部１５１は、操作部１１を介して他の端末に送信するメッセージの入力を受け付け、入力されたメッセージを他の端末に送信するとともに、他の端末からメッセージを受信する。図４Ａは、表示部１２にメッセージを交換するためのメッセージリスト画面が表示されている状態を示す図である。図４Ａに示すように、メッセージリスト画面には、送受信したメッセージと、送信メッセージの入力を受け付ける入力欄と、当該入力欄に入力されたメッセージの送信を受け付ける送信ボタンと、検索窓と、検索窓に入力されたキーワードによる検索を受け付ける虫眼鏡アイコンとが表示されている。
【００２９】
取得部１５２は、検索キーワードの入力を受け付け、ネットワークＮを介して検索キーワードに対応する検索結果を示す検索結果情報を取得する。具体的には、取得部１５２は、図４Ａに示すように検索窓にキーワードが入力されている状態において、操作部１１が検索を実行する操作を受け付けると、無線部１３を介して、検索サーバ３に当該キーワードを送信する。ここで、検索を実行する操作とは、例えば、検索窓に表示されている虫眼鏡のアイコンをタッチする操作である。
【００３０】
取得部１５２は、無線部１３を介して、検索サーバ３から検索結果情報を受信する。この検索結果情報には、キーワードに対応する情報を含むページのＵＲＬが１以上含まれている。
【００３１】
また、取得部１５２は、当該検索結果情報に含まれるＵＲＬの選択に応じて当該ＵＲＬが示すページをネットワークＮを介して取得する。具体的には、検索結果情報が表示部１２に表示されている状態において、当該検索結果情報に含まれるＵＲＬの位置をタッチする操作を操作部１１が受け付けると、取得部１５２は、無線部１３を介して、当該ＵＲＬが示すウェブサーバ（不図示）にアクセスし、当該ＵＲＬに対応するページを取得する。
【００３２】
表示制御部１５３は、表示部１２に対する表示制御を行う。具体的には、表示制御部１５３は、図４Ａに示すように、メッセージリスト画面を表示させることにより、送信メッセージと、他の端末から受信した受信メッセージとをメッセージの送信者ごとに時系列に並べたメッセージリストと、送信メッセージの入力を受け付ける入力欄と、当該入力欄に入力されたメッセージの送信を受け付ける送信ボタンと、検索窓と、検索窓に入力されたキーワードによる検索を受け付ける虫眼鏡アイコンとを表示させる。
【００３３】
また、表示制御部１５３は、取得部１５２が検索結果情報を取得すると、当該検索結果情報及び当該検索結果情報を他の端末と共有する指示を受け付けるメニューである共有ボタン１２１を含む検索結果画面を表示部１２に表示させる。ここで、表示制御部１５３は、表示部１２に、メッセージリスト画面及び検索結果画面を切り替えるためのタブメニューを表示させる。
【００３４】
図４Ｂは、表示部１２に検索結果画面が表示された状態を示す図である。図４Ｂに示される検索結果画面には、検索結果情報として複数のＵＲＬを含む「湯沢高原スキー場の検索結果」と、他の端末と共有する指示を受け付けるメニューとして「Ｂさんと共有」とのラベルが付された共有ボタン１２１とが表示されていることが確認できる。
【００３５】
さらに、この検索結果画面には、メッセージリスト画面及び検索結果画面を切り替えるためのメニューとして、顔マークのアイコンが表示されたタブと、「検索結果」と記載されたタブとが表示されていることが確認できる。顔マークのアイコンが表示されたタブは、メッセージリスト画面を表示させるためのタブであり、「検索結果」と記載されたタブは、検索結果画面を表示させるためのタブである。
【００３６】
例えば、操作部１１により、顔アイコンが表示されたタブをタッチする操作が行われると、表示制御部１５３は、図４Ａに示すメッセージリスト画面を表示させる。なお、図４Ｂから図４Ａに示すメッセージリスト画面に切り替える場合、表示制御部１５３は、当該メッセージリスト画面に、顔マークのアイコンが表示されたタブと、「検索結果」と記載されたタブとを表示させる。このようにすることで、携帯端末１のユーザは、検索結果画面とメッセージリストとを簡単な操作で切り替えることができる。
【００３７】
また、表示制御部１５３は、当該検索結果情報に含まれるＵＲＬが選択されたことにより、取得部１５２が当該ＵＲＬに対応するページを取得すると、当該ページ、及び当該ページを他の端末と共有する指示を受け付けるメニューを含む詳細画面を表示部１２に表示させる。
【００３８】
図４Ｄは、表示部１２に詳細画面が表示された状態を示す図である。図４Ｄに示される詳細画面には、図４Ｂに示す検索結果画面に含まれている「湯沢高原スキー場」のＵＲＬに対応する詳細ページ「湯沢高原スキー場」と、他の端末と共有する指示を受け付けるメニューである共有ボタン１２１とが表示されていることが確認できる。
【００３９】
さらに、この詳細画面には、メッセージリスト画面及び詳細画面を切り替えるためのメニューとして、顔マークのアイコンが表示されたタブと、「湯沢・・・」と記載されたタブとが表示されていることが確認できる。例えば、操作部１１により、顔アイコンが表示されたタブをタッチする操作が行われると、表示制御部１５３は、図４Ａに示すメッセージリスト画面を表示させる。なお、図４Ｄから図４Ａに示すメッセージリスト画面に切り替える場合、表示制御部１５３は、当該メッセージリスト画面に、顔マークのアイコンが表示されたタブと、「湯沢・・・」と記載されたタブとを表示させる。
【００４０】
送信部１５４は、検索結果画面が表示されている場合において、共有ボタン１２１が選択されたことに応じて、共有ボタン１２１とともに表示されている検索結果情報を他の端末に送信する。具体的には、送信部１５４は、共有ボタン１２１がタッチ操作によって押下されると、共有ボタンが選択されたと判定する。そして、送信部１５４は、検索結果情報をメッセージサーバ２を介して他の端末に送信する。ここで、送信部１５４は、検索結果情報のソースコードを送信してもよいし、検索結果情報を示すＵＲＬを送信してもよい。
【００４１】
他の端末は、検索結果情報を受信すると、当該検索結果情報、及び当該検索結果情報が携帯端末１と共有されている旨を示す情報とを表示部１２に表示させる。図４Ｃは、他の端末の表示部１２に検索結果画面が表示された状態を示す図である。図４Ｃに示される検索結果画面には、図４Ｂと同様に検索結果情報として「湯沢高原スキー場の検索結果」が表示されていることが確認できる。また、図４Ｃには、検索結果情報が携帯端末１と共有されている旨を示す情報として、表示部１２の下部に、「Ａさんと共有中」とのメッセージが表示されていることが確認できる。
【００４２】
また、送信部１５４は、詳細画面が表示されている場合において、共有ボタン１２１が選択されたことに応じて、共有ボタン１２１とともに表示されている詳細情報を他の端末に送信する。他の端末は、詳細情報を受信すると、当該詳細情報、及び当該詳細情報が携帯端末１と共有されている旨を示す情報とを表示部１２に表示させる。図４Ｅは、他の端末の表示部１２に詳細画面が表示された状態を示す図である。図４Ｅに示される詳細画面には、図４Ｄと同様に詳細情報として湯沢高原スキー場の各種情報が表示されていることが確認できる。また、図４Ｅには、詳細情報が携帯端末１と共有されている旨を示す情報として、表示部１２の下部に、「Ａさんと共有中」とのメッセージが表示されていることが確認できる。このようにすることで、携帯端末１のユーザは、検索結果の中から選択した詳細情報についても簡単な操作で他の端末と共有することができる。
【００４３】
受信部１５５は、ネットワークＮ及びメッセージサーバ２を介して他の端末から、当該他の端末において表示されている検索結果画面又は詳細画面を受信する。受信部１５５が検索結果画面又は詳細画面を受信すると、表示制御部１５３は、メッセージリスト画面に代えて、受信した画面を表示部１２に表示させる。また、表示制御部１５３は、図４Ｂ等と同様に、当該受信した画面に、メッセージリスト画面及び受信した画面を切り替えるためのタブを表示させる。
【００４４】
［検索結果情報の共有に係るシーケンス］
続いて、検索結果情報が共有されるまでの処理の流れについて説明する。図５は、第１の実施形態に係る携帯端末１が検索結果情報を他の端末と共有する処理の流れを示すシーケンス図である。ここでは、携帯端末１Ａ（第１携帯端末）において検索を行い、携帯端末１Ｂ（第２携帯端末）に検索結果情報が送信されるものとして説明を行う。
【００４５】
まず、携帯端末１Ａ及び携帯端末１Ｂのそれぞれは、操作部１１を介して、互いにメッセージ入力を行い（Ｓ１、Ｓ２）、メッセージ送受信部１５１は、メッセージサーバ２を介してメッセージの送受信を行う。携帯端末１Ａ及び携帯端末１Ｂのそれぞれは、表示制御部１５３により、送受信したメッセージをメッセージリスト画面に表示させる（Ｓ３、Ｓ４）。
【００４６】
続いて、携帯端末１Ａの操作部１１は、メッセージリスト画面に設けられている検索窓により検索キーワードの入力を受け付ける（Ｓ５）。携帯端末１Ａの取得部１５２は、検索窓にキーワードが入力されている状態において、操作部１１が検索を実行する操作を受け付けると、無線部１３を介して、検索サーバ３に当該キーワードを送信する。
【００４７】
検索サーバ３は、携帯端末１Ａからキーワードを受信すると、検索処理を行い、検索結果情報を生成する（Ｓ６）。続いて、検索サーバ３は、生成した検索結果情報を携帯端末１Ａに送信する。
【００４８】
携帯端末１Ａの表示制御部１５３は、取得部１５２が検索結果情報を受信すると、表示部１２に検索結果情報及び共有ボタン１２１を含む検索結果画面を表示させる（Ｓ７）。
続いて、送信部１５４は、共有ボタン１２１が押下されたか否かを判定する（Ｓ８）。送信部１５４は、共有ボタン１２１が押下されたと判定した場合（判定がＹＥＳの場合）、検索結果画面に表示されている検索結果情報を携帯端末１Ｂに送信する。
携帯端末１Ｂの表示制御部１５３は、検索結果情報を受信すると、当該検索結果情報を含む検索結果画面を表示部１２に表示させる。
【００４９】
［第１の実施形態における効果］
以上のとおり、第１の実施形態に係る携帯端末１は、検索結果情報を取得すると、当該検索結果情報及び当該検索結果情報を他の端末と共有する指示を受け付けるメニューを含む検索結果画面を表示部１２に表示させ、当該メニューが選択されたことに応じて、検索結果情報を他の端末に送信する。このようにすることで、携帯端末１のユーザが検索結果情報を共有する操作をしたことに応じて、他の端末に検索結果情報が表示されることから、他の端末のユーザが操作を行うことなく、携帯端末１と他の端末の双方において検索結果情報が表示部１２に表示される。よって、携帯端末１は、検索結果を適切なタイミングで他の端末に表示させることができる。
【００５０】
なお、本実施形態では、携帯端末１Ａが検索結果情報をメッセージサーバ２を介して携帯端末１Ｂに送信する例について説明したが、これに限らない。例えば、メッセージ交換システムＳ内に検索結果情報を一時的に記憶する一時情報記憶サーバを備えておき、携帯端末１Ａのユーザが共有ボタン１２１を押下すると、携帯端末１Ａは、当該検索結果情報を一時情報記憶サーバに記憶させ、当該検索結果情報が記憶されているアドレスを示す記憶先情報を取得してもよい。そして、携帯端末１Ａは、当該記憶先情報をメッセージサーバ２を介して携帯端末１Ｂに送信してもよい。携帯端末１Ｂは、一時情報記憶サーバの記憶先情報を受信すると、一時情報記憶サーバから当該検索結果情報を取得し表示部１２に表示させてもよい。
【００５１】
例えば、一時情報記憶サーバに記憶するものとしては、検索結果を表示するためのＵＲＬや検索によって得られる地図表示ページのＵＲＬ等であってもよいし、検索によって得られた特定の画像、地図、写真、映像等であってもよい。この場合、一時記憶サーバに記憶された画像、地図、写真、映像等について○や△といった記号、手書き文字、入力文字等の入力情報の編集を可能にしてもよいし、これらの画像、地図、写真、映像に対して当該入力情報を重畳して表示させるレイヤ画像を追加して記憶できるようにしてもよい。レイヤ画像とすることで、共有する情報を読み込んだ際にリアルタイムに変化した地図上にレイヤ画像が重畳して表示されるので、送信元の携帯端末１Ａのユーザが伝えたい適切な情報を共有することが可能となる。
【００５２】
＜第２の実施形態＞
続いて、第２の実施形態について説明する。第２の実施形態において、携帯端末１は、検索結果情報又は詳細情報の共有時にメッセージを送信する点で第１の実施形態と異なる。例えば、他の端末のユーザがメッセージを入力している最中に画面が切り替わると、当該ユーザにとって不便となる。そこで、第２の実施形態では、例えば、他の端末においてメッセージの入力中である場合に、検索結果情報の共有を通知する旨のメッセージを表示させ、他の端末のユーザに画面の切り替えを促すようにする。
【００５３】
第２の実施形態において、携帯端末１のメッセージ送受信部１５１は、共有の指示を受け付けるメニューが選択されたことに応じて、検索結果情報とともに、検索結果情報の共有を通知する旨のメッセージを他の端末に送信する。
【００５４】
他の端末の表示制御部１５３は、携帯端末１から、検索結果情報及び検索結果情報の共有を通知する旨のメッセージを受信すると、メッセージリストに対して当該メッセージを表示させる。また、他の端末の表示制御部１５３は、メッセージリスト画面において、他の端末のユーザがメッセージの入力中である場合には、メッセージリスト画面から検索結果画面に表示を切り替えずに、当該メッセージリスト画面に対して、メッセージリスト画面及び検索結果画面を切り替えるためのタブを表示させる。
【００５５】
このようにすることで、他の端末のユーザは、メッセージに入力中において、検索結果を共有する操作が携帯端末１において行われたことを認識することができ、都合の良いタイミングで、検索結果画面に切り替えることができる。
【００５６】
＜第３の実施形態＞
続いて、第３の実施形態について説明する。第３の実施形態において、携帯端末１のメッセージ送受信部１５１は、検索結果情報又は詳細情報の共有時に、検索結果情報又は詳細情報のＵＲＬをリンクとして含むメッセージを送信する点で第１の実施形態と異なる。
【００５７】
このようにすることで、携帯端末１及び他の端末のメッセージリスト画面には、検索結果情報又は詳細情報のＵＲＬをリンクとして含むメッセージが表示される。メッセージリスト画面では、時系列でメッセージが表示されることから、ユーザは、検索結果情報や詳細情報の共有が、どのタイミングで行われたのかを確認することができる。さらに、制御部１５が、メッセージリスト画面に表示されているメッセージをログとして記憶部１４に記憶させるようにすることで、ユーザは、メッセージ交換が終了した後にログを参照することで、共有した検索結果情報や詳細情報について再確認することができる。
【００５８】
＜第４の実施形態＞
続いて、第４の実施形態について説明する。第４の実施形態では、他の端末が複数存在し、携帯端末１が、検索結果情報又は詳細情報を共有する他の端末を選択する点で第１の実施形態と異なる。
【００５９】
第４の実施形態において、共有ボタン１２１には、「他のユーザと共有する」というラベルが付される。そして、表示制御部１５３は、共有ボタン１２１が選択されたことに応じて、検索結果情報又は詳細情報を送信する他の端末の選択を受け付ける選択画面を表示させる。そして、表示制御部１５３は、選択画面において、複数の他の端末から、検索結果情報又は詳細情報を共有する端末の選択を受け付ける。
送信部１５４は、選択された他の端末に検索結果情報又は詳細情報を送信する。
このようにすることで、携帯端末１のユーザは、複数の他の端末のユーザのうち、一部のユーザに限定して検索結果情報又は詳細情報を共有することができる。
【００６０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【００６１】
例えば、第１の実施形態において、表示制御部１５３は、取得部１５２が検索結果情報を取得すると、当該検索結果情報及び共有ボタン１２１を含む検索結果画面を表示部１２に表示させたがこれに限らない。例えば、表示制御部１５３は、取得部１５２が検索結果情報を取得すると、当該検索結果情報のソースコードに対して、共有ボタン１２１を表示させるコードを挿入し、検索結果情報の内部に共有ボタンを表示させるようにしてもよい。
【００６２】
また、表示制御部１５３は、検索結果画面が表示されている場合に、メッセージ送受信部１５１がメッセージ情報を受信すると、検索結果画面に表示されている顔アイコンの表示態様を変化させるようにしてもよい。このようにすることで、携帯端末１は、他の端末において検索結果画面を表示せずにメッセージを入力していることを認識することができ、円滑にコミュニケーションを図ることができる。
【符号の説明】
【００６３】
１・・・携帯端末、１１・・・操作部、１２・・・表示部、１３・・・無線部、１４・・・記憶部、１５・・・制御部、１５１・・・メッセージ送受信部、１５２・・・取得部、１５３・・・表示制御部、１５４・・・送信部、１５５・・・受信部、２・・・メッセージサーバ、３・・・検索サーバ、４・・・基地局、Ｎ・・・ネットワーク
【図１】
2015153351.tif 000003
【図２】
2015153351.tif 000004
【図３】
2015153351.tif 000005
【図４Ａ】
2015153351.tif 000006
【図４Ｂ】
2015153351.tif 000007
【図４Ｃ】
2015153351.tif 000008
【図４Ｄ】
2015153351.tif 000009
【図４Ｅ】
2015153351.tif 000010
【図５】
2015153351.tif 000011